(57)【要約】【課題】テレテキストデコーダにおいて、ハミングエラーが多発する弱電界にて送信時とは異なるテレテキストデータが訂正可能なデータとして出現することに起因するテレテキストの誤表示を抑制する。【解決手段】誤表示を起こしたくないデータや、削除すべきハミングエラー条件を比較データとして比較データテーブル４３に予め指定、記憶する。テキストデータ比較ソフトウェア４２は、テレテキスト信号復元装置１３からテレテキストデータを入力し、この入力したテレテキストデータを前記比較データテーブル４３の比較データと比較し、両者が一致した場合には、一致情報ｍを格納データコントロールソフトウェア４４に伝達する。格納データコントロールソフトウェア４４は、前記一致情報ｍを受けた場合、その一致したテレテキストデータをテレテキストデータ格納メモリ２２に格納するのを止める。【選択図】図１
2007221210.tif 000002
【特許請求の範囲】
【請求項１】
テレテキスト送信信号の受信に用いられるテレテキストデコード装置であって、
前記テレテキスト送信信号に含まれるテレテキストデータを受信する受信手段と、
前記テレテキストデータを格納するテレテキスト格納手段と、
前記テレテキスト格納手段への格納を除外すべきテレテキストデータの比較対象となる比較データを予め記憶する比較データ記憶手段と、
前記受信したテレテキストデータと前記比較データ記憶手段の比較データとを入力し、前記受信したテレテキストデータと比較データとを比較する比較手段と、
前記比較手段の比較結果に応じて、前記比較データとの一致があったテレテキストデータを除外して、前記比較データと一致しないテレテキストデータのみを前記テレテキスト格納手段に格納する除外手段と
を備えたことを特徴とするテレテキストデコード装置。
【請求項２】
前記請求項１記載のテレテキストデコード装置において、
前記比較データ記憶手段は、
比較データとして、前記テレテキストデータに含まれるハミング保護データのハミングエラータイプを有する
ことを特徴とするテレテキストデコード装置。
【請求項３】
前記請求項２記載のテレテキストデコード装置において、
前記除外手段は、
前記テレテキストデータに含まれるハミング保護データのハミングエラータイプが、前記比較データ記憶手段に記憶したハミングエラータイプと一致するときに限り、その一致したテレテキストデータのテレテキスト格納手段への格納を除外する
ことを特徴とするテレテキストデコード装置。
【請求項４】
テレテキスト送信信号の受信に用いられるテレテキストデコード装置であって、
前記テレテキスト送信信号に含まれるテレテキストデータを受信する受信手段と、
前記テレテキストデータを格納するテレテキスト格納手段と、
前記テレテキスト格納手段への格納を除外すべきテレテキストデータの比較対象となる比較データ及び書き換えデータを予め記憶する比較データ記憶手段と、
前記受信したテレテキストデータと前記比較データ記憶手段の比較データとを入力し、前記受信したテレテキストデータと比較データとを比較する比較手段と、
前記比較手段の比較結果に応じて、前記比較データとの一致があったテレテキストデータを、前記比較データ記憶手段の書き換えデータに書き換えた後、この書き換え後のテレテキストデータを前記テレテキスト格納手段に格納する書換手段と
を備えたことを特徴とするテレテキストデコード装置。
【請求項５】
前記請求項４記載のテレテキストデコード装置において、
前記比較データ記憶手段は、
比較データとして、前記テレテキストデータに含まれるハミング保護データのハミングエラータイプを有する
ことを特徴とするテレテキストデコード装置。
【請求項６】
前記請求項５記載のテレテキストデコード装置において、
前記書換手段は、
前記テレテキストデータに含まれるハミング保護データのハミングエラータイプが、前記比較データ記憶手段に記憶したハミングエラータイプと一致するときに限り、その一致したテレテキストデータについて書き換えを行う
ことを特徴とするテレテキストデコード装置。
【請求項７】
前記請求項３記載のテレテキストデコード装置において、
前記受信したテレテキストデータのハミングエラー率を算出するエラー率算出手段を備え、
前記除外手段は、
前記エラー率算出手段が算出したハミングエラー率が設定値以上の場合に限り、前記比較データとの一致があったテレテキストデータを除外する
ことを特徴とするテレテキストデコード装置。
【請求項８】
前記請求項６記載のテレテキストデコード装置において、
前記受信したテレテキストデータのハミングエラー率を算出するエラー率算出手段を備え、
前記書換手段は、
前記エラー率算出手段が算出したハミングエラー率が設定値以上の場合に限り、前記比較データとの一致があったテレテキストデータの書き換えを行う
ことを特徴とするテレテキストデコード装置。
【請求項９】
前記請求項１〜８の何れか１項に記載のテレテキストデコード装置において、
テレテキストデータは、他の機器に送信される
ことを特徴とするテレテキストデコード装置。
【請求項１０】
前記請求項１〜８の何れか１項に記載のテレテキストデコード装置において、
前記テレテキスト格納手段に格納されたテレテキストデータを受けて、そのテレテキストデータを表示するテレテキスト表示手段を備えた
ことを特徴とするテレテキストデコード装置。
【請求項１１】
前記請求項１〜１０の何れか１項に記載のテレテキストデコード装置を内蔵する
ことを特徴とするテレビジョン受像装置。
【請求項１２】
前記請求項１〜１０の何れか１項に記載のテレテキストデコード装置を内蔵する
ことを特徴とするビデオ装置。
【請求項１３】
前記請求項１〜１０の何れか１項に記載のテレテキストデコード装置を内蔵する
ことを特徴とするパーソナルコンピュータ。
【発明の詳細な説明】
【技術分野】
【０００１】
本発明は、文字放送システムで使用されるテレテキスト信号をデコードするテレテキストデコード装置や、これを内蔵するテレビジョン受像装置の改良に関する。
【背景技術】
【０００２】
テレテキスト信号は、欧州、アジアのＰＡＬテレビ信号システムの国で使用されている文字放送システムであり、その規格はＥＴＳＩ ＥＮ３００７０６で定義されている。テレテキスト信号は、制御データを含むパケット０、２６、２７、２８、２９、３０、３１と、表示用データを含むパケット１−２５とにより構成されている。
【０００３】
図４はパケット０のデータ形式を示し、この中にはページ情報及びページ種別の情報などを含み、この情報部分はハミング符号化されている。図６はパケット２６、２７、２８のデータ形式を示し、この中には表示に関する情報として３バイト単位のトリプレットが１３個格納され、ハミング符号化されている。また、図５はパケット１−２５のデータ形式を示し、表示データが格納されている。図７はテレテキストデータの１ページの構成を示し、パケット０から次のパケット０までが１ページのデータとして扱われ、パケット１−２５及びパケット２６、２７、２８が必要に応じて追加される。図８はハミング符号化の規則を示し、送信側は符号化規則に従ってデータを送信し、受信側は計算によりエラーなし、１ビットエラー、又は２ビットエラーの判別ができ、１ビットエラーの場合には訂正可能である。
【０００４】
図９はＰＡＬテレビ受像機におけるテレテキスト表示処理装置８の内部構成を示す。通常、チュナー１１は、放送局から送信されたテレテキストを含むテレビ信号を受け、ＡＶ信号に変換する、テレテキスト復元装置制御ソフトウェア１２はテレテキスト復元装置１３を制御し、テレテキスト復元装置１３はテレテキスト信号を復元し、テレテキストデータ格納メモリ２２に格納する、テレテキストデコーダ１４は、前記メモリ２２に格納されたテレテキストデータを入力し、ハミングチェックを行うと共に１ビットエラーがある場合はその訂正を行い、各ページ毎の情報としてページ情報格納メモリ１８に格納する。キーハンドラ１５はリモコンキー入力を受け、その入力信号をテレテキスト表示用画面作成回路１６及び表示ハードウェア制御回路１７に送る、テレテキスト表示用画面作成回路１６は、指定されたページ情報を前記ページ情報格納メモリ１８から読み出し、表示に適したデータを表示用ＶＲＡＭ１９に送付する、表示ハードウェア制御回路１７は、前記表示用ＶＲＡＭ１９からデータを読み出し、ディスプレイ装置２１に送り、テレテキストの表示を行う。
【０００５】
前記の処理において、信号がゴーストの場合や弱電界である場合には、データに誤りが発生する場合がある。しかし、通常はエラーの発生率は少なく、１ビットエラーのみの場合は、ハミングのエラー訂正機能が有効に作用するので、この訂正技術を利用して、テレテキスト表示装置はテレテキストデータの表示を弱電界でも保持している。
【０００６】
特開平１−１３１２５２号公報では、前記エラー訂正機能を利用して、本来のエラーデータを利用する技術を開示している。
【特許文献１】特開平２−３０２８１号公報
【発明の開示】
【発明が解決しようとする課題】
【０００７】
テレテキスト信号は、既述したように１ビットエラーが発生した場合でもハミング符号化技術により正しい表示を保持することが可能である。
【０００８】
しかしながら、１ビットエラーの発生する信号よりも更に弱い電界になると、エラー発生頻度が多くなり、２ビットエラーが増える。また、更に弱い電界において同時に２ビット以上のエラーが発生した場合には、２カ所以上の間違いの組み合わせ起因して、データは正しくないがエラーなし又は１ビットエラーのデータが現れることがある。その結果、本来は存在しないページ、サブページの表示や、サブタイトル／ニュースフラッシュなどの異なる種別のページが出現したり、レベル１．５の放送においてはあり得ないレベル２．５の表示が現れたりする。このような状況では、従来では、１ビットエラーの訂正結果が送信側と同じか又は異なるデータの判別はできなかったため、テレテキスト表示に誤表示がでる課題がある。
【課題を解決するための手段】
【０００９】
本発明は、前記の課題に着目し、その目的は、テレテキストデコード装置において、１ビットエラーの発生する信号よりも更に弱い電界においてエラー発生頻度が多くなっても、そのエラーを確実に除去して、テレテキスト表示として本来の正しい表示を出すようにすることにある。
【００１０】
前記の目的を達成するため、本発明では、避けたい誤表示をするデータや、ハミングエラー条件等を予め比較データテーブルに格納しておき、入力されてきたテレテキストデータを前記比較データテーブルに格納した比較データと比較して、一致すれば、そのようなテレテキストデータを削除又は正しく訂正するようにする。
【００１１】
すなわち、請求項１記載の発明のテレテキストデコード装置は、テレテキスト送信信号の受信に用いられるテレテキストデコード装置であって、前記テレテキスト送信信号に含まれるテレテキストデータを受信する受信手段と、前記テレテキストデータを格納するテレテキスト格納手段と、前記テレテキスト格納手段への格納を除外すべきテレテキストデータの比較対象となる比較データを予め記憶する比較データ記憶手段と、前記受信したテレテキストデータと前記比較データ記憶手段の比較データとを入力し、前記受信したテレテキストデータと比較データとを比較する比較手段と、前記比較手段の比較結果に応じて、前記比較データとの一致があったテレテキストデータを除外して、前記比較データと一致しないテレテキストデータのみを前記テレテキスト格納手段に格納する除外手段とを備えたことを特徴とする。
【００１２】
請求項２記載の発明は、前記請求項１記載のテレテキストデコード装置において、前記比較データ記憶手段は、比較データとして、前記テレテキストデータに含まれるハミング保護データのハミングエラータイプを有することを特徴とする。
【００１３】
請求項３記載の発明は、前記請求項２記載のテレテキストデコード装置において、前記除外手段は、前記テレテキストデータに含まれるハミング保護データのハミングエラータイプが、前記比較データ記憶手段に記憶したハミングエラータイプと一致するときに限り、その一致したテレテキストデータのテレテキスト格納手段への格納を除外することを特徴とする。
【００１４】
請求項４記載の発明のテレテキストデコード装置は、テレテキスト送信信号の受信に用いられるテレテキストデコード装置であって、前記テレテキスト送信信号に含まれるテレテキストデータを受信する受信手段と、前記テレテキストデータを格納するテレテキスト格納手段と、前記テレテキスト格納手段への格納を除外すべきテレテキストデータの比較対象となる比較データ及び書き換えデータを予め記憶する比較データ記憶手段と、前記受信したテレテキストデータと前記比較データ記憶手段の比較データとを入力し、前記受信したテレテキストデータと比較データとを比較する比較手段と、前記比較手段の比較結果に応じて、前記比較データとの一致があったテレテキストデータを、前記比較データ記憶手段の書き換えデータに書き換えた後、この書き換え後のテレテキストデータを前記テレテキスト格納手段に格納する書換手段とを備えたことを特徴とする。
【００１５】
請求項５記載の発明は、前記請求項４記載のテレテキストデコード装置において、前記比較データ記憶手段は、比較データとして、前記テレテキストデータに含まれるハミング保護データのハミングエラータイプを有することを特徴とする。
【００１６】
請求項６記載の発明は、前記請求項５記載のテレテキストデコード装置において、前記書換手段は、前記テレテキストデータに含まれるハミング保護データのハミングエラータイプが、前記比較データ記憶手段に記憶したハミングエラータイプと一致するときに限り、その一致したテレテキストデータについて書き換えを行うことを特徴とする。
【００１７】
請求項７記載の発明は、前記請求項３記載のテレテキストデコード装置において、前記受信したテレテキストデータのハミングエラー率を算出するエラー率算出手段を備え、前記除外手段は、前記エラー率算出手段が算出したハミングエラー率が設定値以上の場合に限り、前記比較データとの一致があったテレテキストデータを除外することを特徴とする。
【００１８】
請求項８記載の発明は、前記請求項６記載のテレテキストデコード装置において、前記受信したテレテキストデータのハミングエラー率を算出するエラー率算出手段を備え、前記書換手段は、前記エラー率算出手段が算出したハミングエラー率が設定値以上の場合に限り、前記比較データとの一致があったテレテキストデータの書き換えを行うことを特徴とする。
【００１９】
請求項９記載の発明は、前記請求項１〜８の何れか１項に記載のテレテキストデコード装置において、テレテキストデータは、他の機器に送信されることを特徴とする。
【００２０】
請求項１０記載の発明は、前記請求項１〜８の何れか１項に記載のテレテキストデコード装置において、前記テレテキスト格納手段に格納されたテレテキストデータを受けて、そのテレテキストデータを表示するテレテキスト表示手段を備えたことを特徴とする。
【００２１】
請求項１１記載の発明のテレビジョン受像装置は、前記請求項１〜１０の何れか１項に記載のテレテキストデコード装置を内蔵することを特徴とする。
【００２２】
請求項１２記載の発明のビデオ装置は、前記請求項１〜１０の何れか１項に記載のテレテキストデコード装置を内蔵することを特徴とする。
【００２３】
請求項１３記載の発明のパーソナルコンピュータは、前記請求項１〜１０の何れか１項に記載のテレテキストデコード装置を内蔵することを特徴とする。
【００２４】
以上により、請求項１記載の発明では、避けたい誤表示をするデータやハミングエラー条件などの比較データを比較データ記憶手段に予め指定、格納しておき、読み込んだテレテキストデータが前記比較データ記憶手段に指定、格納した比較データと一致するかの比較を行って、一致した場合には前記読み込んだテレテキストデータを削除するので、問題がある誤表示を削除して、テレテキストを正しく表示することが可能となる。
【００２５】
また、請求項４記載の発明では、比較データ記憶手段の比較データと一致したテレテキストデータが、その一致した比較データの有する書き換えデータに正しく書き換えられるので、テレテキストのデータ順序を崩すことなく、テレテキストを元通り正しく表示をすることができる。
【００２６】
以上のように、請求項１及び４記載の発明では、具体的に説明すると、例えば表示に好ましくないテレテキストデータのパケット番号やデータの位置、値などを比較データの内容として予め記憶しておき、この比較データに一致したテレテキストデータは１ビットのハミングエラーがある状況として把握できるので、この状況時に、そのテレテキストデータのメモリへの格納を除外したり、又はテレテキストデコーダ装置で使用されない２ビットエラーのテレテキストデータに書き直す。従って、ハミングエラーが発生しない状況では、本来の表示データとして扱うことができると共に、ハミングエラーが発生した状況では、ハミングエラーとして区別して、正しいテキスト表示を確保することが可能となる。
【００２７】
また、請求項７、８記載の発明では、ハミングエラーの発生率が設定値以上の多い場合に限って、テレテキストデータの除外動作や書き換え動作が行われるので、ハミングエラーを送信時に添付する放送局の場合には、そのハミングエラー添付信号の表示を通常電界で正しく表示できる。
【発明の効果】
【００２８】
以上説明したように、請求項１〜１３記載の発明によれば、弱電界での不要なページの表示や、レベル１．５のみのテレテキスト信号での２．５表示を抑えることができるので、テレテキストの正しい表示を弱電界側に広げて、表示の有効範囲を拡大できる効果を奏する。
【発明を実施するための最良の形態】
【００２９】
以下、本発明のテレテキストデコード装置の実施形態を図面に基づいて説明する。
【００３０】
（実施形態１）
図１は本発明におけるテレテキストデコード装置の概略図を示す。尚、テレテキスト表示装置の全体構成は、図９と同様であるので、その詳細な説明は省略する。図１に示したテレテキストデコード装置は、図９に示したテレテキスト表示装置の全体では。同図に破線で示したように、コンピュータが処理を行うテレテキストデータ読み込みソフトウェア３０の構成に対応する。
【００３１】
図１において、テレテキスト信号復元装置（受信装置）１３は、テレテキストデータを含むテレビジョン信号又はビデオ信号を受信する。比較データ設定ソフトウェア４１は比較データテーブル４３から比較データを読み出し、テレテキストデータ比較ソフトウェア（比較手段）４２に設定する。前記テキストデータ比較ソフトウェア４２は、テレテキスト信号復元装置１３からテレテキストデータを入力し、このテレテキストデータを前記設定された比較データと比較し、両者が一致した場合には、一致情報ｍを格納データコントロールソフトウェア（除外手段）４４に伝達する。格納データコントロールソフトウェア４４は、前記一致情報ｍを受けた場合に、その一致したテレテキストデータをテレテキストデータ格納メモリ（テレテキスト格納手段）２２に格納するのを止める一方、前記一致情報ｍを受けない場合には、そのテレテキストデータをそのままテレテキストデータ格納メモリ２２に格納する。このテレテキストデータ格納メモリ２２に格納テレテキストデータは、他の機器、例えばテレテキスト表示を行うテレビジョン受像装置や、ビデオ装置又はパーソナルコンピュータなどに送信されて、それ等が有するテレテキスト表示装置（テレテキスト表示手段）に表示される。
【００３２】
図１５は、前記比較データテーブル（比較データ記憶手段）４３に格納するデータの形式を示したものである。同図において、比較データは、避けたい誤表示をするデータや、ハミングエラー条件を示すデータであって、比較番号、比較するパケット番号、トリプレット／先頭、バイト位置、比較時に使用するマスク値、比較するデータ、及びハミングエラータイプから構成される。
【００３３】
図１０は、本テレテキストデコード装置の動作を説明するソフトウェア構成を示す。同図において、ステップＳ１１で前記比較データテーブル４３から比較データを読み込むと共に、ステップＳ１２でテレテキスト信号復元装置１３からテレテキストデータを読み込み、その後、この両データ同士をステップＳ２０でデータ比較する。そして、ステップＳ４０で一致した比較番号（比較一致信号）があるかどうか確認し、比較一致番号がない場合には、ステップＳ６０でテレテキストデータをテレテキストデータ格納メモリ２２に格納する。一方、一致した比較番号がある場合には、テレテキストデータの格納を行わずに、ステップＳ１２の処理に戻って、次のテキストデータの処理を行う。
【００３４】
図１１は、前記ステップＳ２０でのデータ比較処理の詳細を示す。同図において、ステップＳ２１では、読み込んだテレテキストデータに含まれるハミング符号化データについて、ハミングエラーの計算及び訂正を行う。ステップＳ２２では、比較データテーブル４３から比較データを１番目より順次読み込む。
【００３５】
次いで、ステップＳ２３では、前記計算及び訂正後のテレテキストデータのパケット番号と比較データに含まれるパケット番号との一致、チェックを行い、一致しない場合には、処理をせずステップＳ３２に移動する。一方、一致した場合には、ステップＳ２４において、テレテキストデータがトリプレットかどうか、またトリプレットの場合にはその種別確認を行い、全トリプレット指定の場合にのみ、ステップＳ２５で次のトリプレットに移動する。その後、ステップＳ２６ではテレテキストデータにおいて前記比較データで指定されたバイト位置まで移動した後、ステップＳ２７でそのバイト値と、前記比較データで指定されたマスク値との論理積を求める。更に、ステップＳ２８では、前記ステップＳ２７の論理積の結果が比較データで指定されたデータと一致するか確認し、一致した場合にのみ、ステップＳ２９でハミングエラーが比較データで指定されたハミングエラータイプと一致するか確認し、一致した場合には、ステップＳ３０において、その一致した比較番号を比較一致番号とすると共に、トリプレット番号を設定する。
【００３６】
その後は、ステップＳ３１において、比較されるテレテキストデータが全トリプレットでない場合、又は全トリプレットで全てのトリプレットをチェック済みであるかどうかを判定し、ＹＥＳの場合にはステップＳ３２に移動し、ＮＯの場合にはステップＳ２４に移動する。ステップＳ３２では全ての比較データのチェックが終了している場合は処理を終わり、比較データがまだ残る場合には、ステップＳ２２に戻って処理を続ける。従って、処理が終了した時点で一致したものがある場合には、比較一致番号、トリプレット番号が設定されている。
【００３７】
従って、本実施形態では、入力されたテレテキストデータが比較データテーブル４３内の比較データと一致する場合には、避けたい誤表示がそのまま表示されてしまう状況であるが、データ格納データコントロールソフトウェア４４がその一致したテレテキストデータを格納メモリ２２に格納しないので、その避けたい誤表示などを確実に防止することができる。
【００３８】
（実施形態２）
次に、本発明の第２の実施形態のテレテキストデコード装置を説明する。
【００３９】
図２は本実施形態のテレテキストデコード装置の概略図を示す。図２において、比較データ設定ソフトウェア４１は比較データテーブル４３から図１５に示した比較データを読み出し、その読み出した比較データをテレテキストデータ比較ソフトウェア４２に設定する。このテキストデータ比較ソフトウェア４２は、テレテキスト信号復元装置１３からテレテキストデータを入力して、このテレテキストデータと前記比較データとの比較を行い、両データが一致した場合には、一致情報ｍをテレテキストデータ書き換えソフトウェア（書換手段）４９に伝達する。書き換えデータ設定ソフトウェア４５は、書き換えデータテーブル４６から書き換えデータを読み出して、テレテキストデータ書き換えソフトウェア４９に設定する。このテレテキストデータ書き換えソフトウェア４９は、前記テキストデータ比較ソフトウェア４２から一致情報ｍを受けた場合には、前記設定された書き換えデータに従ってそのテレテキストデータを書き換える。
【００４０】
図１６は、前記書き換えデータテーブル４６に格納する書き換えデータの形式を示したものである。同図において、書き換えデータは、データ番号と、書き換えるべきトリプレット／先頭及びバイト位置、置換する書き換えデータ、この書き換えデータが示す内容（コメント）が予め格納される。
【００４１】
図１２は、本テレテキストデコード装置の動作処理を示すソフトウェア構成である。同図において、ステップＳ１１で比較データテーブル４３から比較データを読み込むと共に、ステップＳ１２でテレテキストデータを読み込んで、ステップＳ２０において、このテレテキストデータと比較データとの比較を行う。そして、ステップＳ４０で比較一致番号があるかどうか確認し、比較一致番号がある場合には、ステップＳ５０においてテレテキストデータの書き換え処理を行い、一方、比較一致信号が無い場合には書き換えを行わない。その後、ステップＳ６０では、エラーのないテレテキストデータ又は書き換えられたテレテキストデータをテレテキストデータ格納メモリ２２に格納し、その後にステップＳ１２の処理に戻る。
【００４２】
図１４は、前記図１２のステップＳ５０でのデータ書き換え処理の詳細フローを示す。同図において、ステップＳ５１では上位ファンクションから与えられたデータ一致番号及びトリプレット位置を受け取る。ステップＳ５２では書き換えデータテーブル４６から書き換えデータを入手し、その後、ステップＳ５３でテレテキストデータの対応するトリプレット番号及びバイト位置まで移動し、ステップＳ５４でそのトリプレット番号及びバイト位置のデータを前記書き換えデータに書き換えた後、この書き換え後のテレテキストデータをテレテキストデータ格納メモリ２２に格納する。ステップＳ５５では、全てのテレテキストデータの書き換え、格納が終了したかを確認し、書き換え及び格納済みの場合には終了し、その他の場合はステップＳ５２に戻って、以上の動作を繰り返す。
【００４３】
従って、本実施形態においては、入力されたテレテキストデータが比較データテーブル４３内の比較データと一致して、誤表示となる場合には、その誤表示となるテレテキストデータの一部データが書き換えデータテーブル４６内の書き換えデータによって正しいデータに書き換えられるので、連続するテレテキストデータの順序を崩すことなく、正しい表示を行うことが可能である。
【００４４】
（実施形態３）
続いて、本発明の実施形態３のテレテキストデコード装置を説明する。
【００４５】
図３は、本実施形態３におけるテレテキストデコード装置の概略図を示す。図３において、比較データ設定ソフトウェア４１は比較データテーブル４３から比較データを読み出して、テレテキストデータ比較ソフトウェア４２に設定する。テレテキストエラー測定ソフトウェア（エラー率算出手段）４７は、テレテキスト信号復元装置１３からテレテキストを順次入力して、それ等のテレテキストのハミングエラー発生率を測定し、予め内部に設定された所定エラー率を超えた場合のみ、起動信号ｓをテレテキストデータ比較ソフトウェア４２に出力する。このテキストデータ比較ソフトウェア４２は、前記テレテキストエラー測定ソフトウェア４７から起動信号ｓを受けて初めてデータ比較動作を開始して、前記入力したテレテキストデータと比較データとの比較を行い、両データが一致した場合には、比較一致情報ｍをテレテキストデータ書き換えソフトウェア４９に伝達する、書き換えデータ設定ソフトウェア４５は、書き換えデータテーブル４６からデータ一致番号に対応した書き換えデータを読み出して、テレテキストデータ書き換えソフトウェア４９に設定する。このテレテキストデータ書き換えソフトウェア４９は、前記テキストデータ比較ソフトウェア４２から比較一致情報ｍを受けた場合に限り、テレテキストデータの所定バイト位置のデータを書き換えデータに従って書き換える。
【００４６】
図１３は、図３のテレテキストデコード装置のソフトウェア構成を示す。同図において、ステップＳ１１では比較データテーブル４３から比較データを読み込むと共に、ステップＳ１２においてテレテキストデータを読み込み、その後、ステップＳ１３において連続するテレテキストデータのエラーレートを検出する。そして、ステップＳ１４で前記検出したエラーレートが予め決めた設定値未満の場合には、ステップＳ６０に移動する。一方、検出したエラーレートが設定値以上の場合には、ステップＳ２０でデータ比較を開始し、ステップＳ４０で比較一致番号があるかどうか確認し、ある場合は、ステップＳ５０でデータの書き換え処理を行い、無い場合は書き換えを行わない。その後、ステップＳ６０でエラーのないテレテキストデータ又は書き換えられたテレテキストデータをテレテキストデータ格納メモリ２２に格納し、ステップＳ１２の処理に戻る。
【００４７】
従って、本実施形態では、テレテキストデータのエラーレートが設定値未満の場合、即ち、エラーの発生が少ない通常ないし強電界では、データの比較動作を行わないので、強電界での正しいテレテキストデータを本来の表示データとして扱うことを保証しながら、エラーの発生が多くなる弱電界では、ハミングエラーの生じたテレテキストデータを確実にエラーと判断して、その誤表示を防止することが可能である。
【００４８】
（具体例）
以下、図１７、図１８及び図１９に実際の具体例を示す。
【００４９】
図１７は、実施形態１において、テレテキスト１．５の信号がテレテキスト２．５の信号にデータが訂正された場合を示す。このような信号が来れば、画面は全面同じ色になる可能性があり、表示上問題が多い。この場合は、比較データに問題信号のデータを設定することにより、問題データが削除され、表示の問題が解決される。
【００５０】
図１８は、実施形態２において、テレテキスト１．５の信号がテレテキスト２．５の信号にデータが訂正された場合を示し、このような信号が来れば、テレテキスト１．５にないサイドパネルが有効になる例を示している。前記のサイドパネルが有効になると、表示が左右に動いて、表示上問題が多い。この場合は、比較データに問題信号のデータを設定することにより、問題データがエラーになり、表示の問題が解決される。
【００５１】
図１９は、実施形態３において、サブタイトルでないページがサブタイトルページになる場合を取り除く場合を示している。このサブタイトルページの表示は、表示文字列が無い場合などにおいてテレビ画面に戻ったと思われるときがあり、問題が多いが、パケット０のバイト１２の最終ビットが１の場合にバイト１２が１ビットエラーのときには、２ビットエラーにすることにより、この問題を取り除くことができる。この場合、前記の機能はハミングエラーレートが設定値を超えた場合のみに動作するため、放送局がハミングエラーを含むデータを送信した場合に、強電界の場合はエラーにならず、本来の表示通りに動作する。
【産業上の利用可能性】
【００５２】
以上説明したように、本発明は、弱電界におけるハミング訂正の問題点を解決するので、テレテキストの表示改善等として有用であり、また、ハミング符号化を利用した他の受信システム等の用途にも応用できる。
【図面の簡単な説明】
【００５３】
【図１】本発明の第１の実施形態のテレテキストデコード装置の全体構成を示す図である。
【図２】本発明の第２の実施形態のテレテキストデコード装置の全体構成を示す図である。
【図３】本発明の第３の実施形態のテレテキストデコード装置の全体構成を示す図である。
【図４】テレテキスト信号に含まれるパケット０のデータ形式を示す図である。
【図５】テレテキスト信号に含まれるパケット１−２５のデータ形式を示す図である。
【図６】テレテキスト信号に含まれるパケット２６、２８、２９のデータ形式を示す図である。
【図７】テレテキスト信号のページデータの構成を示す図である。
【図８】テレテキスト信号のハミング符号化、復元化のルールを示す図である。
【図９】従来のテレテキスト表示装置の全体構成を示す図である。
【図１０】同テレテキストデコード装置の動作フローチャートを示す図である。
【図１１】同動作フローチャートにおけるデータ比較処理フローの詳細を示す図である。
【図１２】同テレテキストデコード装置の動作フローチャートを示す図である。
【図１３】同テレテキストデコード装置の動作フローチャートを示す図である。
【図１４】同動作フローチャートにおけるデータの書き換えフローの詳細を示す図である。
【図１５】同テレテキストデコード装置に備える比較データテーブルの一形式例を示す図である。
【図１６】テレテキストデコード装置に備える変換データテーブルの一形式例を示す図である。
【図１７】本発明の第１の実施形態の具体例を示す図である。
【図１８】本発明の第２の実施形態の具体例を示す図である。
【図１９】本発明の第３の実施形態の具体例を示す図である。
【符号の説明】
【００５４】
１１    チュナー
１２    テレテキスト信号復元装置制御ソフトウェア
１３    テレテキスト信号復元装置（受信手段）
１４    テレテキストデコーダ
１５    キーハンドラ
１６    テレテキスト表示画面作成回路
１７    表示ハードウェア制御回路
１８    ページ情報格納メモリ
１９    表示用ＶＲＡＭ
２０    表示ハードウェア
２１    ディスプレイ装置
２２    テレテキストデータ格納メモリ（テレテキスト格納手段）
３０    テレテキストデータ読み込みソフトウェア
４１    比較データ設定ソフトウェア
４２    テレテキストデータ比較ソフトウェア（比較手段）
４３    比較データテーブル（比較データ記憶手段）
４４    格納データコントロールソフトウェア（除外手段）
４５    書き換えデータ設定ソフトウェア
４６    書き換えデータテーブル
４７    テレテキストエラー測定ソフトウェア（エラー率算出手段）
４９    テレテキストデータ書き換えソフトウェア（書換手段）
【図１】
2007221210.tif 000003
【図２】
2007221210.tif 000004
【図３】
2007221210.tif 000005
【図４】
2007221210.tif 000006
【図５】
2007221210.tif 000007
【図６】
2007221210.tif 000008
【図７】
2007221210.tif 000009
【図８】
2007221210.tif 000010
【図９】
2007221210.tif 000011
【図１０】
2007221210.tif 000012
【図１１】
2007221210.tif 000013
【図１２】
2007221210.tif 000014
【図１３】
2007221210.tif 000015
【図１４】
2007221210.tif 000016
【図１５】
2007221210.tif 000017
【図１６】
2007221210.tif 000018
【図１７】
2007221210.tif 000019
【図１８】
2007221210.tif 000020
【図１９】
2007221210.tif 000021